(57)【要約】【課題】破壊装置において、記憶装置を破壊する破壊部の破損を防ぐ。【解決手段】破壊装置１は、消耗品１００の溝１０２上に貼り付けられた記憶装置１０１の情報を読み出す読み出し部１０と、溝１０２を検出する溝検出部２０と、溝１０２に挿入されながら記憶装置１０１を破壊する破壊部３０と、消耗品１００の消耗情報に基づき、記憶装置１０１を破壊するように破壊部３０を制御する制御部４０と、を備える。制御部４０は、読み出し部１０の読み出し結果に基づき記憶装置１０１が正規であるか否かを判定し、記憶装置１０１が正規であると判定され且つ溝検出部２０が溝１０２を検出した場合に、消耗品１００の消耗情報に基づき、記憶装置１０１を破壊するように破壊部３０を制御する。【選択図】図１
2018112706.tif 000002
【特許請求の範囲】
【請求項１】
消耗品の溝上に貼り付けられた記憶装置の情報を読み出す読み出し部と、
前記溝を検出する溝検出部と、
前記溝に挿入されながら前記記憶装置を破壊する破壊部と、
前記消耗品の消耗情報に基づき、前記記憶装置を破壊するように前記破壊部を制御する制御部と、を備え、
前記制御部は、前記読み出し部の読み出し結果に基づき前記記憶装置が正規であるか否かを判定し、前記記憶装置が正規であると判定され且つ前記溝検出部が前記溝を検出した場合に、前記消耗品の消耗情報に基づき、前記記憶装置を破壊するように前記破壊部を制御する、
ことを特徴とする破壊装置。
【請求項２】
前記制御部は、前記溝検出部による検出結果及び前記読み出し部が読み出した情報に基づいて、正規の消耗品であることを判定する
ことを特徴とする請求項１記載の破壊装置。
【発明の詳細な説明】
【技術分野】
【０００１】
本発明は、消耗品に貼り付けられた記憶装置を破壊する破壊装置に関する。
【背景技術】
【０００２】
従来、インクボトル、トナーボトル等の消耗品が装着される印刷装置において、空になった消耗品が正規品でない消耗品に置き換えられて印刷装置に装着されることがある。このように正規品でない消耗品が印刷装置に装着されると、印刷品位の低下や、印刷装置の劣化を招く。
【０００３】
そこで、消耗品を用いて行った印刷の枚数が所定枚数よりも多くなった場合に、消耗品に貼り付けられたＲＦＩＤ（Radio Frequency Identifier）等の記憶装置を破壊する印刷装置が提案されている（例えば、特許文献１参照）。
【先行技術文献】
【特許文献】
【０００４】
【特許文献１】特開２００９−１８６５３５号公報
【発明の概要】
【発明が解決しようとする課題】
【０００５】
ところで、消耗品に貼り付けられた記憶装置を破壊する際に、破壊部と消耗品との接触に起因する破壊部の損傷を防ぐためには、例えばカッターである破壊部が挿入される溝を消耗品に設けることが望ましい。このように消耗品に溝を設けることで、破壊部が記憶装置を破壊する際に、消耗品に接触することに起因する破壊部の損傷を防ぐことができる。
【０００６】
しかしながら、溝が設けられていない正規品でない消耗品に正規の記憶装置が貼り替えられる場合が考えられる。この場合に、正規の記憶装置が貼り付けられた正規品でない消耗品を誤って正規品であると判定してしまうと、記憶装置を破壊する際に破壊部が損傷する。
【０００７】
本発明の目的は、消耗品に貼り付けられた記憶装置を破壊する破壊部の損傷を防ぐことができる破壊装置を提供することである。
【課題を解決するための手段】
【０００８】
第１の態様では、破壊装置は、消耗品の溝上に貼り付けられた記憶装置の情報を読み出す読み出し部と、前記溝を検出する溝検出部と、前記溝に挿入されながら前記記憶装置を破壊する破壊部と、前記消耗品の消耗情報に基づき、前記記憶装置を破壊するように前記破壊部を制御する制御部と、を備え、前記制御部は、前記読み出し部の読み出し結果に基づき前記記憶装置が正規であるか否かを判定し、前記記憶装置が正規であると判定され且つ前記溝検出部が前記溝を検出した場合に、前記消耗品の消耗情報に基づき、前記記憶装置を破壊するように前記破壊部を制御する。
【０００９】
第２の態様では、破壊装置は、第１の態様の破壊装置であって、前記制御部は、前記溝検出部による検出結果及び前記読み出し部が読み出した情報に基づいて、正規の消耗品であることを判定する。
【発明の効果】
【００１０】
第１の態様によれば、記憶装置を破壊する破壊部が挿入される溝を、溝検出部によって検出するため、溝の無い消耗品である正規品でない消耗品に貼り付けられた記憶装置の破壊を回避することができる。よって、破壊部の損傷を防ぐことができる。
【００１１】
第２の態様によれば、正規品か否かを溝検出部の検出結果を利用して行うことで記憶装置が正規品で消耗品の容器だけが正規品でない場合であっても、正確な認証を行うことができる。
【図面の簡単な説明】
【００１２】
【図１】一実施の形態に係る破壊装置の構成を示す正面図である。
【図２】一実施の形態における消耗品を示す右側面図である。
【図３】一実施の形態における消耗品の溝及び記憶装置を示す拡大図である。
【図４】一実施の形態に係る破壊装置の制御ブロック図である。
【図５】一実施の形態における破壊動作を説明するためのフローチャート（その１）である。
【図６】一実施の形態における破壊動作を説明するためのフローチャート（その２）である。
【図７】一実施の形態の第１変形例における消耗品の溝及び記憶装置を示す拡大図である。
【図８】一実施の形態の第２変形例における消耗品の溝及び記憶装置を示す拡大図である。
【図９】一実施の形態の第３変形例における消耗品の溝及び記憶装置を示す拡大図である。
【発明を実施するための形態】
【００１３】
以下、本発明の一実施の形態に係る破壊装置１について、図面を参照しながら説明する。
図１は、一実施の形態に係る破壊装置１の構成を示す正面図である。
【００１４】
図２は、消耗品１００を示す右側面図であり、図３は、消耗品１００の溝１０２及び記憶装置１０１を示す拡大図である。
図４は、破壊装置１の制御ブロック図である。
【００１５】
図１に示すように、破壊装置１は、読み出し部１０と、溝検出部２０と、破壊部３０と、制御部４０と、を備える。
読み出し部１０は、例えば印刷装置に装着される消耗品１００の溝１０２上に貼り付けられた記憶装置１０１の情報を読み出す。また、読み出し部１０は、記憶装置１０１から読み出した情報を制御部４０に送信する。記憶装置１０１の情報は、一例ではあるが、消耗品１００の収容物に関する情報（インクの種類、インク収容量など）や消耗品１００の製造番号などである。なお、読み出し部１０は、記憶装置１０１の情報を読み出すだけではなく、記憶装置１０１に情報を書き込むことも可能であってもよい。
【００１６】
消耗品１００は、一例ではあるが、インクボトル、トナーボトル、感光体ユニット、現像ユニット、定着ユニットなどである。記憶装置１０１は、例えばＲＦＩＤタグであるが、消耗品１００の情報を記憶するものであればよい。溝１０２は、図２及び図３に示すように、例えば十字状に形成されている。溝１０２は、後述する溝検出部２０が溝１０２を検出するため、及び、記憶装置１０１の貼り付け位置の位置ずれが生じることがあるため、記憶装置１０１からはみ出す大きさに形成されている。
【００１７】
溝検出部２０は、溝１０２に挿入される挿入部材２１と、この挿入部材２１の負荷を監視する負荷監視部２２と、を有する。挿入部材２１は、例えば、弾性部材と、この弾性部材を介して先端に設けられた棒状の部材と、を有し、後述するモータ駆動回路４及び挿入部材駆動モータ５によって位置（移動）を制御され、溝１０２のうち記憶装置１０１からはみ出した部分に挿入される。
【００１８】
そのため、挿入部材２１が溝１０２内に進入するように移動した場合に、負荷監視部２２が挿入部材２１の負荷の変動を検知できなければ、溝検出部２０は溝１０２が有ることを検出することができる。一方、溝１０２が設けられていない消耗品１００、すなわち正規品でない消耗品に対しては、挿入部材２１が溝１０２に進入することができず、棒状部材が正規品でない消耗品に接触して弾性部材が圧縮する。このときの負荷の変動を負荷監視部２２が検知することができるため、溝検出部２０は、溝１０２が無いことを検出することができる。なお、負荷監視部２２が負荷の変動を検知した場合、すなわち、溝１０２が消耗品１００に接触した場合、挿入部材２１を溝１０２内に更に進入させるのを停止するように、制御部４０がモータ駆動回路４及び挿入部材駆動モータ５を制御すればよい。
【００１９】
なお、後述する破壊部３０が記憶装置１０１からはみ出さずに記憶装置１０１を破壊する場合には、破壊部３０は、溝１０２のうち記憶装置１０１をからはみ出した部分には挿入されない。この場合、溝１０２のうち実際に破壊部３０が挿入されるのは記憶装置１０１に覆われた部分である。そのため、挿入部材２１は、記憶装置１０１に覆われた部分に潜り込むように、消耗品１００のうち記憶装置１０１が貼り付けられた面に対して斜めに溝１０２内に挿入されてもよい。
【００２０】
また、本実施の形態では、負荷監視部２２が挿入部材２１の負荷を監視するが、負荷監視部２２に代えて、挿入部材２１の位置情報を取得する位置情報取得部が配置されていてもよい。この場合にも、溝検出部２０は、挿入部材２１を溝１０２内に進入させることができたかを位置情報取得部を用いて検出することができるため、溝１０２の有無を判定することができる。なお、溝検出部２０は、挿入部材２１が溝１０２に挿入されたか否かを検出しなくとも溝１０２の有無を検出することができる。例えば、溝検出部２０は、溝１０２の有無を光学的に検出する光学センサであってもよい。
【００２１】
破壊部３０は、溝１０２に挿入されながら記憶装置１０１を破壊する。一例ではあるが、破壊部３０は、十字状のカッターであり、消耗品１００のうち記憶装置１０１が貼り付けられた面に直交する破壊方向Ｄ１へ、記憶装置１０１を突き刺すように溝１０２に挿入される。これにより、破壊部３０は、例えば記憶装置１０１の情報を読み出し不能に、記憶装置１０１を物理的に破壊する。
【００２２】
制御部４０は、例えば、破壊装置１全体の動作を制御する演算処理装置として機能するＣＰＵ（Central Processing Unit）である。制御部４０は、破壊装置１用の制御プログラムを読み出して実行する。なお、制御部４０は、破壊装置１を備える印刷装置等の他の装置の制御部が兼用するものであってもよい。
【００２３】
制御部４０は、各モータ駆動回路４，６に制御信号を出力することで、挿入部材駆動モータ５及び破壊部駆動モータ７を制御する。挿入部材駆動モータ５は、挿入部材２１を移動させるためのモータであり、破壊部駆動モータ７は、破壊部３０を移動させるためのモータである。
【００２４】
また、制御部４０は、消耗品１００の消耗情報の一例である残量情報に基づき、記憶装置１０１を破壊するように破壊部３０を制御する。消耗品１００の残量情報は、印刷装置のカウンタ等から取得してもよいし、残量情報が記憶装置１０１に更新されながら書き込まれている場合には記憶装置１０１から取得してもよい。
【００２５】
ＲＯＭ（Read only memory）２は、例えば、所定の基本制御プログラムが予め記録されている読み出し専用半導体メモリである。なお、ＲＯＭ２として、フラッシュメモリ等の、電力供給の停止に対して記憶データが不揮発性であるメモリを使用してもよい。
【００２６】
ＲＡＭ（Random Access Memory）３は、例えば、制御部４０が各種の制御プログラムを実行する際に必要に応じて作業用記憶領域として使用される随時書き込み読み出し可能な半導体メモリである。
【００２７】
図５は、一実施の形態における破壊動作を説明するためのフローチャート（その１）である。
消耗品１００が印刷装置にセットされると、読み出し部１０は、記憶装置１０１の情報を読み出す（ステップＳ１１）。制御部４０は、読み出し部１０が読み出した記憶装置１０１の情報を受信する。また、制御部４０は、読み出し部１０が読み出した記憶装置１０１の情報に基づき、記憶装置１０１が正規のものであるかどうかを判定する（ステップＳ１２）。
【００２８】
制御部４０は、ＲＦＩＤタグ等の記憶装置１０１が正規のものであると判定すると（ステップＳ１２：ＹＥＳ）、モータ駆動回路４及び挿入部材駆動モータ５を用いて挿入部材２１を溝１０２内に進入させる。これにより、上述のように溝１０２が検出される（ステップＳ１３）。また、制御部４０は、溝１０２が有ったか否かを判定する（ステップＳ１４）。
【００２９】
制御部４０は、溝１０２が有ったと判定すると（ステップＳ１４：ＹＥＳ）、消耗品１００の記憶装置１０１が正規で且つ溝１０２が有ったこと、すなわち消耗品１００が正規消耗品であるという情報を、ＲＡＭ３やＲＯＭ２等の記憶部に保存する（ステップＳ１５）。このように、制御部４０は、溝検出部２０による検出結果及び読み出し部１０が読み出した情報に基づいて、正規の消耗品１００であることを判定する。
【００３０】
一方、制御部４０は、記憶装置１０１が正規のものでないと判定した場合（ステップＳ１２：ＮＯ）や、溝１０２が無かったと判定した場合（ステップＳ１４：ＮＯ）には、例えば、表示部への画像表示制御、音声出力制御などによって、消耗品１００が正規消耗品ではないことをユーザに報知し、正規消耗品への交換を促す（ステップＳ１５）。また、制御部４０は、消耗品１００が正規消耗品ではないことを、ＲＡＭ３やＲＯＭ２等の記憶部に保存する（ステップＳ１７）。
【００３１】
図６は、一実施の形態における破壊動作を説明するためのフローチャート（その２）である。
制御部４０は、消耗品１００のセット後に、消耗品１００の上述の残量情報を取得する（ステップＳ２１）。また、制御部４０は、消耗品１００の残量が空であるかを判定する（ステップＳ２２）。制御部４０は、ステップＳ２１及びＳ２２の処理を、消耗品１００の残量が空であると判定するまで（ステップＳ２２：ＹＥＳ）、繰り返す。なお、制御部４０は、消耗品１００の残量が空であるかを判定するのに代えて消耗品１００の残量が所定量以下となったかを判定してもよい。また、制御部４０は、取替え時期が到来したかなどの他の消耗情報に基づいて判定を行ってもよい。
【００３２】
制御部４０は、消耗品１００の残量が空であると判定すると（ステップＳ２２：ＹＥＳ）、消耗品１００が正規消耗品であるかを判定する（ステップＳ２３）。この判定は、上述の図５に示すフローチャートのステップＳ１５の処理でＲＡＭ３やＲＯＭ２等の記憶部に消耗品１００が正規消耗品であるという情報が保存されているか否かによって行えばよい。
【００３３】
制御部４０は、消耗品１００が正規消耗品であると判定すると（ステップＳ２３：ＹＥＳ）、記憶装置１０１を破壊するように破壊部３０を制御する（ステップＳ２４）。すなわち、制御部４０は、モータ駆動回路６及び破壊部駆動モータ７を用いて、破壊部３０を、溝１０２に挿入させながら記憶装置１０１を破壊するように制御する。その後、図６に示すフローチャートの処理を終了する。
【００３４】
一方、制御部４０は、消耗品１００が正規消耗品でないと判定すると（ステップＳ２３：ＮＯ）、記憶装置１０１を破壊させる制御を行わずに、図６に示すフローチャートの処理を終了する。
【００３５】
図７は、第１変形例における消耗品の溝２０２及び記憶装置２０１を示す拡大図である。
図８は、第２変形例における消耗品の溝３０２及び記憶装置３０１を示す拡大図である。
【００３６】
図７に示すように、溝２０２の形状は、図３に示す十字状に限られず、破壊部３０が十字カッターではなく、例えば、互いに１２０°の間隔を隔てて放射状に拡がる３枚刃のカッターであれば、１２０°の間隔を隔てて放射状に拡がる３本の溝であってもよい。
【００３７】
同様に、図８に示すように、溝３０２の形状は、例えば、破壊部３０が互いに７２°の間隔を隔てて放射状に拡がる５枚刃のカッターであれば、７２°の間隔を隔てて放射状に拡がる５本の溝であってもよい。
【００３８】
このように、溝１０２，２０２，３０２の形状は、破壊部３０の形状に合わせて適宜決定されればよい。
図９は、第３変形例における消耗品の溝４０２及び記憶装置４０１を示す拡大図である。
【００３９】
破壊部３０が、記憶装置４０１が貼り付けられた面に沿う破壊方向Ｄ２にスライドするカッターである場合には、図９に示すように、１本の溝４０２が形成されていてもよい。この場合、破壊部３０が溝４０２に挿入された後、記憶装置４０１を切断により破壊することになる。そのため、破壊部３０が溝４０２に挿入されたタイミングで制御部４０が破壊部３０の位置情報を取得することができれば、破壊部３０が、溝４０２を検出する溝検出部を兼ねることができ、上述の溝検出部２０を省略することができる。
【００４０】
以上説明した本実施の形態では、破壊装置１は、読み出し部１０と、溝検出部２０と、破壊部３０と、制御部４０と、を備える。読み出し部１０は、消耗品１００の溝１０２上に貼り付けられた記憶装置１０１の情報を読み出す。溝検出部２０は、溝１０２を検出する。破壊部３０は、溝１０２に挿入されながら記憶装置１０１を破壊する。制御部４０は、消耗品１００の消耗情報の一例である残量情報に基づき、記憶装置１０１を破壊するように破壊部３０を制御する。また、制御部４０は、読み出し部１０の読み出し結果に基づき記憶装置１０１が正規であるか否かを判定し、記憶装置１０１が正規であると判定され且つ溝検出部２０が溝１０２を検出した場合に、消耗品１００の残量情報に基づき、記憶装置１０１を破壊するように破壊部３０を制御する。
【００４１】
これにより、記憶装置１０１を破壊する破壊部３０が挿入される溝１０２を、溝検出部２０によって検出するため、溝１０２の無い消耗品１００である正規品でない消耗品に貼り付けられた記憶装置１０１の破壊を回避することができる。よって、本実施の形態によれば、破壊部３０の損傷を防ぐことができる。更には、溝検出部２０が溝１０２を検出するため、読み出し部１０が記憶装置１０１の情報を読み出すことのみにより消耗品１００が正規消耗品であるかを判定する場合と比較して、より正確に、消耗品１００が正規消耗品であるかを判定することもできる。
【００４２】
また、本実施の形態では、制御部４０は、溝検出部２０による検出結果及び読み出し部１０が読み出した情報に基づいて、正規の消耗品１００であることを判定する。そのため、正規品か否かを溝検出部２０の検出結果を利用して行うことで記憶装置１０１が正規品で消耗品１００の容器だけが正規品でない場合であっても、正確な認証を行うことができる。
【００４３】
また、本実施の形態では、溝検出部２０は、溝１０２に挿入される挿入部材２１を有し、当該挿入部材２１が溝１０２に挿入されたか否かを検出する。このように、溝検出部２０が、溝１０２に挿入される挿入部材２１を有するため、溝１０２の有無を確実に検出することができる。したがって、破壊部３０の損傷をより確実に防ぐことができる。
【００４４】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。
【符号の説明】
【００４５】
１      破壊装置
２      ＲＯＭ
３      ＲＡＭ
４      モータ駆動回路
５      挿入部材駆動モータ
６      モータ駆動回路
７      破壊部駆動モータ
１０      読み出し部
２０      溝検出部
２１      挿入部材
２２      負荷監視部
３０      破壊部
４０      制御部
１００      消耗品
１０１，２０１，３０１，４０１      記憶装置
１０２，２０２，３０２，４０２      溝
【図１】
2018112706.tif 000003
【図２】
2018112706.tif 000004
【図３】
2018112706.tif 000005
【図４】
2018112706.tif 000006
【図５】
2018112706.tif 000007
【図６】
2018112706.tif 000008
【図７】
2018112706.tif 000009
【図８】
2018112706.tif 000010
【図９】
2018112706.tif 000011